(57)【要約】【課題】画像信号の記録中に、記録媒体に記録されている所望の画像信号を再生することができる記録装置を提供する。【解決手段】ビデオカメラは、撮影画像信号の記録中に、インデックス画面の表示指示があると、撮影画像信号を記録しながらインデックス画面を出力し、撮影画像信号の記録中に表示されたインデックス画面における複数の代表画像から選択された代表画像に対応するクリップの画像信号の再生指示があると、撮影画像信号を記録しながら選択された代表画像に対応したクリップの画像信号をディスク１０８から再生すると共に、ディスク１０８に対する撮影画像信号の記録中に再生の指示があると、撮影画像信号を記録しながら記録中のクリップにおける所定の位置からディスク１０８に記録された画像を再生する。【選択図】図１
2011015427.tif 000002
【特許請求の範囲】
【請求項１】
入力された画像信号のクリップをランダムアクセス可能な記録媒体に記録し、前記記録媒体から画像信号を再生する記録再生手段と、
前記記録媒体に記録されている複数のクリップの画像信号の代表画像を含むインデックス画面を表示装置に出力する出力手段と、
前記インデックス画面における複数の代表画像の何れかを選択する選択手段と、
前記記録媒体に対する前記入力された画像信号の記録中に前記インデックス画面の表示指示があると、前記入力された画像信号を記録しながら前記インデックス画面を出力するように前記出力手段を制御し、前記入力された画像信号の記録中に表示されたインデックス画面における複数の代表画像から前記選択手段により選択された代表画像に対応するクリップの画像信号の再生指示があると、前記入力された画像信号を記録しながら前記選択された代表画像に対応したクリップの画像信号を前記記録媒体から再生するように前記記録再生手段を制御すると共に、前記記録媒体に対する前記入力された画像信号の記録中に再生の指示があると、前記入力された画像信号を記録しながら記録中のクリップにおける所定の位置から前記記録媒体に記録された画像信号を再生するように前記記録再生手段を制御する制御手段と
を備えることを特徴とする記録装置。
【請求項２】
第１の操作部と、
第２の操作部とを備え、
前記制御手段は、前記記録媒体に対する前記入力された画像信号の記録中に前記第１の操作部より前記インデックス画面の表示指示があると、前記入力された画像信号を記録しながら前記インデックス画面を出力するように前記出力手段を制御し、前記記録媒体に対する前記入力された画像信号の記録中に前記第２の操作部より前記再生の指示があると、前記入力された画像信号を記録しながら記録中のクリップにおける所定の位置から前記記録媒体に記録された画像信号を再生するように前記記録再生手段を制御することを特徴とする請求項１に記載の記録装置。
【発明の詳細な説明】
【技術分野】
【０００１】
本発明は、ランダムアクセスが可能な記録媒体に画像信号を記録し、再生する記録装置に関する。
【背景技術】
【０００２】
従来、ビデオカメラには、被写体を確認するためのビューファインダーが設けられたものが多い。このビューファインダーには、光学式（以下、ＯＦＶと記す）と電子式（以下、ＥＦＶと記す）とがある。また、ＥＦＶは、再生時には再生画を表示することができ、これによりカメラ本体のみで再生画を見ることができる。ビューファインダーは覗き込むタイプのものであるので、複数の人で同時に見ることができない。
【０００３】
そこで、２インチ以上の液晶パネルを備えたビデオカメラが登場し、現在では特開平８−９２０４号公報で開示されているようなビューファインダーと液晶パネルの両方を備えた形態が一般的になりつつある。また、特開平８−９２０４号公報には、液晶パネルが閉じているときにはＥＶＦをオンに、開いているときには液晶パネルをオンにし、ＥＶＦをオフにする切換手段が記載されている。
【０００４】
一方、記録媒体の大容量化、読出し、書込みの高速化、また画像圧縮技術の進歩に伴い、ＤＶＤ−ＲＡＭ、ＭＤ、ハードディスクなどの記録媒体に情報を記録するビデオデッキ、ビデオカメラなどの製品も登場している。特に、ハードディスクを採用した据え置き型のビデオデッキとして、特開平１１−３９８５０号公報に開示されているような、録画を行いながらそれを中断することなく既に記録されている動画像を再生することが可能な機能を有するものがある。これは、従来のビデオテープでは実現不可能なものであり、ランダムアクセス可能なメディアならでは、実現可能な機能である。
【先行技術文献】
【特許文献】
【０００５】
【特許文献１】特開２００１−２４９７８号公報
【発明の概要】
【発明が解決しようとする課題】
【０００６】
上述したように据え置き型のビデオデッキと同様の機能、即ち録画を行いながらそれを中断することなく既に記録されている動画像を再生する機能を有するビデオカメラの出現が望まれている。
【０００７】
本発明は、画像信号の記録中に、記録媒体に記録されている所望の画像信号を再生することができる記録装置を提供することを目的とする。
【課題を解決するための手段】
【０００８】
本発明は、上記目的を達成するため、入力された画像信号のクリップをランダムアクセス可能な記録媒体に記録し、前記記録媒体から画像信号を再生する記録再生手段と、前記記録媒体に記録されている複数のクリップの画像信号の代表画像を含むインデックス画面を表示装置に出力する出力手段と、前記インデックス画面における複数の代表画像の何れかを選択する選択手段と、前記記録媒体に対する前記入力された画像信号の記録中に前記インデックス画面の表示指示があると、前記入力された画像信号を記録しながら前記インデックス画面を出力するように前記出力手段を制御し、前記入力された画像信号の記録中に表示されたインデックス画面における複数の代表画像から前記選択手段により選択された代表画像に対応するクリップの画像信号の再生指示があると、前記入力された画像信号を記録しながら前記選択された代表画像に対応したクリップの画像信号を前記記録媒体から再生するように前記記録再生手段を制御すると共に、前記記録媒体に対する前記入力された画像信号の記録中に再生の指示があると、前記入力された画像信号を記録しながら記録中のクリップにおける所定の位置から前記記録媒体に記録された画像信号を再生するように前記記録再生手段を制御する制御手段とを備えることを特徴とする記録装置を提供する。
【発明の効果】
【０００９】
本発明によれば、画像信号の記録中に、記録媒体に記録されている所望の画像信号を再生することができる。
【図面の簡単な説明】
【００１０】
【図１】本発明の第１の実施の形態に係るビデオカメラの内部構成を示すブロック図である。
【図２】図１のビデオカメラの外観を示す斜視図である。
【図３】図３は図２のビデオカメラに設けられているモードダイアルを示す正面図である。
【図４】図１のビデオカメラの液晶パネルに表示されるインデック画面の一例を示す図である。
【図５】図１のビデオカメラにおけるカメラモード時の手順を示すフローチャートである。
【図６】図１のビデオカメラにおけるカメラモード時の手順を示すフローチャートである。
【図７】本発明の第２の実施の形態に係るビデオカメラの構成を示すブロック図である。
【図８】図７のビデオカメラのカメラモードにおける再生要求発生時の表示制御の状態遷移図である。
【図９】図７のビデオカメラにおけるカメラモード時の手順を示すフローチャートである。
【図１０】本発明の第３の実施の形態に係るビデオカメラの再生モード時の手順を示すフローチャートである。
【発明を実施するための形態】
【００１１】
以下、本発明の実施の形態について図面を参照しながら説明する。
【００１２】
（第１の実施の形態）
図１は本発明の第１の実施の形態に係るビデオカメラの内部構成を示すブロック図、図２は図１のビデオカメラの外観を示す斜視図、図３は図２のビデオカメラに設けられているモードダイアルを示す正面図、図４は図１のビデオカメラの液晶パネルに表示されるインデック画面の一例を示す図である。
【００１３】
ビデオカメラは、図２に示すように、ハードディスク、光磁気ディスクなどのランダムアクセス可能な記録媒体（図示せず）を収納するビデオカメラ本体２０１を備え、この記録媒体に、例えばMPEG（Moving Picture Experts Group）方式などの圧縮処理を施したMPEGデータを記録し、またこのMPEGデータの再生を行う。本実施の形態では、後述するように、上記記録媒体として光磁気ディスクを用いている。ビデオカメラ本体２０１には、被写体を捕えるためのレンズ部２０２、撮影時の音声を集音するためのマイクロフォン２０３、カメラ撮影時に被写体を捕らえ、また確認するためのＥＶＦ２０４、撮影の開始または終了を指示するための操作スイッチであるトリガースイッチ２０５、モードダイアル２０６、再生系やメニュー操作などのためのキーを含む操作スイッチ群２０７、液晶パネル２０８、スピーカ２０９、カメラ本体２０１と着脱可能なバッテリー２１０、およびヘッドホン端子などの外部出力端子２１３が設けられている。
【００１４】
ＥＶＦ２０４は、後述する制御によりオフにすることが可能である電子式ビューファインダーである。
【００１５】
モードダイアル２０６は、図３に示すように、回転式の操作スイッチであり、モードダイアル２０６には、例えばモードを再生モードに設定するための「再生」、カメラモードに設定するための「カメラ」、オフにするための「ＯＦＦ」の各操作位置が表記されている。モード設定時には、ユーザがモードダイアル２０６を回転することによって、モードダイアル２０６のいずれかの操作位置を、カメラ本体２１２に設けられているバー２１２の位置に合わせる。これにより、バー２１２の位置に合わせた操作位置に対応するモードが起動される。ここで、再生モードは、記録媒体に記録された画像を再生する機能の他に、編集や削除するような機能を含む。カメラモードは、撮影することを主目的としたモードである。オフモードは、ビデオカメラの主電源をオフするためのモードである。
【００１６】
液晶パネル２０８は、カメラ本体２０１に開閉可能に取り付けられており、カメラ撮影時にはＥＶＦ２０４と同様に被写体像を確認可能なように表示し、再生時には再生画像の表示することを主にしている。また、液晶パネル２０８は、ＥＶＦ２０４と同様に、後述の制御によりオフにすることが可能である。また、液晶パネル２０８はカメラ本体２０１から開いている状態で、さらに上下方向に回転可能に構成されている。液晶パネル２０８が閉じられると、この状態はパネル開閉検出スイッチ２１１により電気的に検出される。例えば液晶パネル２０８には、閉じた状態でパネル開閉検出スイッチ２１１を押す突起（図示せず）が設けられ、液晶パネル２０８が閉じられた状態になると、上記突起がパネル開閉検出スイッチ２１１を押し、液晶パネル２０８が開放されると、上記突起によるパネル開閉検出スイッチ２１１の押下が開放される。これにより、液晶パネル２０８の開閉状態が制御系により認識可能になる。
【００１７】
操作スイッチ群２０７は、液晶パネル２０８が閉じられた状態では、操作不能な位置に配置されている。この操作スイッチ群２０７に含まれるスイッチについては、後述する。
【００１８】
次に、本ビデオカメラの内部構成について図１を参照しながら説明する。
【００１９】
ビデオカメラは、図１に示すように、記録系および再生系を含むシステム全体の制御を行うマイクロコンピュータ１０７を備え、マイクロコンピュータ１０７は、制御プログラムが格納されているＲＯＭ、ＲＡＭ、およびＣＰＵから構成される。
【００２０】
記録系は、レンズ部２０２に含むレンズユニット１０１と、マイク２０３を含むマイクユニット１０４とを有する。レンズユニット１０１は、例えば、集光のための固定レンズ群、変倍レンズ群、絞り、変倍レンズ群の動きで移動した結像位置を補正する機能と焦点調節を行う機能とを兼ね備えた補正レンズ群から構成される。これらのレンズ群により構成されるレンズユニット１０１によって、最終的に被写体像がＣＣＤ（charge coupled device）１０２の結像面上に結像される。ＣＣＤ１０２は、撮像面に結像された光像を電荷に変換して画像信号を生成する。ＣＣＤ１０２からの画像信号は、カメラ信号処理部１０３に入力され、カメラ信号処理部１０３は、入力された画像信号に所定の処理を施してデジタル画像データを出力する。
【００２１】
マイクユニット１０４は、上記マイク２０３に集音された音声信号に対する増幅器、帯域制限フィルタ、ＡＤ変換器などを含み、デジタル音声データを出力する。マイクユニット１０４からのデジタル音声データは、カメラ信号処理部１０３からのデジタル画像データとともに圧縮処理部１０５に入力される。
【００２２】
圧縮処理部１０５は、デジタル画像データとデジタル音声データに対して、ＭＰＥＧ方式の圧縮処理をリアルタイムに行い、ＭＰＥＧデータを出力する。この圧縮処理部１０５から出力されたＭＰＥＧデータは、ディスク制御部１０６により、ランダムアクセス可能な光磁気ディスクであるディスク１０８に書き込まれる。ディスク制御部１０６は、ディスク１０８へのデータの書込み、また読出しの制御を行う。
【００２３】
再生系は、伸張処理部１０９を有し、伸長処理部１０９は、ディスク制御部１０６を介してディスク１０８から読み出されたＭＰＥＧデータを伸長してビデオデータに変換する。この伸長されたビデオデータの内、画像データは画像入力選択スイッチ１１１に、音声データは、スピーカユニット１１４に入力される。
【００２４】
画像入力選択スイッチ１１１は、マイクロコンピュータ１０７の制御に従いカメラ信号処理部１０３からのデジタル画像データ、伸張処理部１０９からの画像データ（再生画像データ）の内の一方または両方を選択して出力する。すなわち、画像入力選択スイッチ１１１には、２チャネルが設けられており、それぞれのチャネルを独立に制御することが可能である。これにより、カメラ信号処理部１０３からのデジタル画像データをＥＶＦ２０４、液晶パネル２０８にそれぞれ同時に表示し、また、カメラ信号処理部１０３からのデジタル画像データをＥＶＦ２０４に、伸張処理部１０９からの画像データ（再生画像データ）を液晶パネル２０８にそれぞれ同時に表示することが可能である。
【００２５】
ＥＶＦ２０４、液晶パネル２０８は、それぞれ電源が独立しており、マイクロコンピュータ１０７の制御によりシステムとは独立にオン、オフすることができる。また、液晶パネル２０８の開閉状態は、マイクロコンピュータ１０７によりパネル開閉検出スイッチ２１１からの検出信号に基づき認識される。
【００２６】
スピーカユニット１１４は、スピーカ２０９および外部出力端子２１３を含み、ＭＰＥＧデータの再生時に、伸張処理部１０９からの音声データを入力し、スピーカ２０９を駆動して音声を出力するとともに、外部出力端２１３に音声信号を出力する。また、スピーカユニット１１４は、マイクロコンピュータ１０７の制御によりボリュームを可変する機能を有する。
【００２７】
マイクロコンピュータ１０７には、操作スイッチ群２０７の各スイッチからの信号、トリガースイッチ２０５、モードダイアル２０６からの信号が入力され、マイクロコンピュータ１０７は、各信号に基づき全体の制御および個別処理を行う。操作スイッチ群２０７には、メニュー上などで選択した項目を決定したり動作させたりするためのセットキー１１５ａと、メニュー上などで複数の項目から一つを選択するときに用いるプラスキー１１５ｂ、マイナスキー１１５ｃと、液晶パネル２０８にインデックス画面を表示するためのインデックスキー１１５ｄと、カメラモード実行中においてディスク１０８に記録されているＭＰＥＧデータの再生を指示するためのカメラモード時再生キー１１５ｅとが少なくとも含まれる。
【００２８】
モードダイアル２０６は、上述したように、再生モード、カメラモード、オフを選択するためのスイッチであり、トリガースイッチ２０５は、カメラモードにおいて押される都度、記録開始、記録終了のイベントを発生させ、また、再生モードにおいて押される都度、記録開始、記録終了のイベントを発生させるためのスイッチである。
【００２９】
上記インデックスキー１１５ｄを押したときには、図４に示すように、液晶パネル２０８にインデックス画面３０１が表示される。このインデックス画面３０１には、代表されるサムネイル画像を含む複数のビデオクリップ３０３〜３０８が表示される。ここで、ビデオクリップとは、撮影時にトリガースイッチ２０５の押下により記録が開始されてから、再びトリガースイッチ２０５が押下されて記録が終了するまでのＭＰＥＧデータ群を指し、ディスク１０８にはこのビデオクリップが基本単位として記録される。各ビデオクリップ３０３〜３０８におけるサムネイル画像とは、そのビデオクリップの代表画像であり、例えば記録開始時の最初の画像を適当なサイズに縮小したものである。本図においては、各ビデオクリップ３０３〜３０８におけるサムネイル画像として、簡略化のために「１３」〜「１８」とそれぞれ記述している。
【００３０】
インデックス画面３０１においては、プラスキー１１５ｂ、マイナスキー１１５ｃにより操作可能なカーソル３０９が表示され、カーソル３０９を移動させることによって各ビデオクリップ３０３〜３０８の中から所望のビデオクリップを選択することが可能である。本例では、カーソル３０９によりビデオクリップ３０５を選択している状態を示している。
【００３１】
また、選択されているビデオクリップ３０５に関する情報として、ビデオクリップ情報３０２が表示される。このビデオクリップ情報３０２においては、その上段に、ディスク１０８内に記憶されている全てのビデオクリップの中でビデオクリップ３０５が所定のソートにより何番目に見出されたかを示している。本例では、ビデオクリップ３０５がディスク１０８内の３０個のビデオクリップの中で１５番目にあることを示している。ここで、所定のソートとは、記録順、名称順などによるソートである。
【００３２】
ビデオクリップ情報３０２の下段には、ビデオクリップ３０５の名称または名称の一部「ＡＢＣＤ0015」が示される。但し、この名称とは、日本電子工業振興協会が制定しているカメラファイルシステム規格（Design rule for Camera File system）のように所定ルールに基づき与えられ、ディスク１０８内に記録されているビデオクリップの中から一義的に特定できるものである。また、スライダー３１０、ポインタ３１１が表示され、これらにより現在表示されているビデオクリップ群が全体のどの辺りに位置するかをイメージ的に表している。
【００３３】
また、実際にはバッテリーの残量、ディスクの有無などの各種情報も表示されている。このようなインデックス画面上でカーソル３０９によりビデオクリップ３０５が選択されている状態において、カーソル３０９は、プラスキー１１５ｂを押す毎にビデオクリップ３０６，３０７の方向に、マイナスキー１１５ｃを押す毎にビデオクリップ３０４，３０３の方向に移動し、これに連動してビデオクリップ情報３０２、ポインタ３１１の位置が変化する。また、ビデオクリップ３０３よりも前のビデオクリップ、またはビデオクリップ３０８の次のビデオクリップを選択するように、カーソル３０９を移動させると、画面がスクロールする。さらに、セットキー１１５ａを押すと、そのときにカーソル３０９が指示しているビデオクリップの再生が開始され、この指示されたビデオクリップの画像が表示される。そして、再生が終了すると、再生画面はインデックス画面３０１に戻る。さらに、このインデックス画面３０１から抜けるには、もう一度インデックスキー１１５ｄを押せばよい。
【００３４】
このインデックス画面３０１から、ビデオクリップを選択して再生させる一連の動作を、カメラモードでも可能であり、記録中においても撮影を中断することなく実行させることができる。
【００３５】
但し、本実施の形態のビデオカメラでは、操作スイッチ群２０７を、液晶パネル２０８が閉じられた状態で操作不能な位置に配置しているから、記録再生同時実行が可能となるのは、液晶パネル２０８が開かれているときである。
【００３６】
次に、本実施の形態におけるカメラモード時の動作について図５および図６を参照しながら説明する。図５および図６は図１のビデオカメラにおけるカメラモード時の手順を示すフローチャートである。これらの図に示す手順は、マイクロコンピュータ１０７により実行される。
【００３７】
本実施の形態は、撮影画像の記録中に、ディスク１０８の任意位置に記録されているＭＰＥＧデータを再生することが可能であり、この記録中に再生を行うときには、ＥＶＦ２０４に記録される画像を、液晶パネル２０８に再生される画像（ＭＰＥＧデータ）をそれぞれ表示するように制御する。また、本実施の形態においては、撮影画像の記録中に、ディスク１０８内の画像の再生を行うことを可能にするためには、液晶パネル２０８が開かれていることが必要である。これは、操作スイッチ群２０７を、液晶パネル２０８が閉じられた状態で操作不能な位置に配置しているためのである。よって、液晶パネル２０８は開かれているものとして説明する。
【００３８】
ユーザが記録を行う際には、まずモードダイアル２０６によりカメラモードが選択されるとともに、液晶パネル２０８が開かれる。マイクロコンピュータ１０７は、パネル開閉検出スイッチ２１１からの検出信号に基づき液晶パネル２０８が開かれたことを認識し、ＥＶＦ２０４の電源をオフにするとともに液晶パネル２０８の電源をオンにする。また、画像入力選択スイッチ１１１は、マイクロコンピュータ１０７の制御により、２チャネルともカメラ画像信号を選択する。ここまでは、従来のビデオカメラと同様である。
【００３９】
このような状態がセットされると、図５に示すように、まずステップＳ１０１においてトリガースイッチ２０５の押下を監視し、トリガースイッチ２０５が押下されると、記録開始が指示されたと判断してステップＳ１０２で、記録を開始する。そして、ステップＳ１０３において、カメラモード時再生キー１１５ｅの押下の有無を判定する。このカメラモード時再生キー１１５ｅは、記録中において、例えば撮影視野内を不明な物体などが横切った場合にこの不明な物体を確認する際に押されるものである。
【００４０】
上記カメラモード時再生キー１１５ｅが押されると、ステップＳ１０４に進み、画像入力選択スイッチ１１１により、カメラ信号処理部１０３からのデジタル画像データ（撮影画像）をＥＶＦ２０４に、伸張処理部１０９からの画像データ（再生画像）を液晶パネル２０８にそれぞれ表示するように表示切換を行い、続くステップＳ１０５で、ＥＶＦ２０４の電源をオンする。そして、ステップＳ１０６において、再生音が記録されないように、スピーカユニット１１４のスピーカ２０９をオフする。なお、スピーカ２０９はオフされるが、スピーカユニット１１４に含まれる外部出力端子２１３は、再生音を出力可能な状態に保持され、この外部出力端子２１３にヘッドホンなどを接続すれば、ユーザは再生音を聴くことができる。
【００４１】
次いで、ステップＳ１０７に進み、ディスク１０８に今回記録において所定時間前に記録されたＭＰＥＧデータからの再生を開始する。ここで、上記所定時間とは、予め設定されている時間であり、例えば１０秒である。この再生は、所定時間分（例えば１０秒間）行われ、この再生画像は、液晶パネル２０８に表示され、再生音は上述したように外部出力端子２１３に出力される。また、撮影画像はＥＶＦ２０４に表示される。これにより、撮影を続行しながら所定時間前に記録された画像を観ることができる。そして、ステップＳ１０８において、再生の終了を待ち、再生が終了すると、ステップＳ１０９に進む。
【００４２】
ステップＳ１０９では、画像入力選択スイッチ１１１により、カメラ信号処理部１０３からのデジタル画像データ（撮影画像）を液晶パネル２０８に表示するように表示切換を行い、続くステップＳ１１０で、ＥＶＦ２０４の電源をオフする。そして、ステップＳ１１１において、トリガースイッチ２０５が押下されたか否かを判定する。ここで、トリガースイッチ２０５が押下されていないときには、上記ステップＳ１０３に戻り、記録を続行しながら次の再生（カメラモード時再生キー１１５ｅまたはインデックスキー１１５ｄの押下）に備える。これに対し、トリガースイッチ２０５が押下されると、記録終了が指示されたと判断してステップＳ１１２において記録終了処理を行い、上記ステップＳ１０１に戻り、次の記録に備える。
【００４３】
上記ステップＳ１０３においてカメラモード時再生キー１１５ｅが押下されていないと判定されると、図６に示すステップＳ１１３に進み、インデックスキー１１５ｄの押下の有無を判定する。ここで、インデックスキー１１５ｄが押されると、ステップＳ１１４に進み、画像入力選択スイッチ１１１により、カメラ信号処理部１０３からのデジタル画像データ（撮影画像）をＥＶＦ２０４に、伸張処理部１０９からの画像データ（再生画像）を液晶パネル２０８にそれぞれ表示するように表示切換を行い、続くステップＳ１１５で、ＥＶＦ２０４の電源をオンする。そして、ステップＳ１１６において、再生時の音声が記録されないように、スピーカユニット１１４のスピーカ２０９をオフする。
【００４４】
次いで、ステップＳ１１７に進み、液晶パネル２０８にインデックス画面を表示し、続くステップＳ１１８で、インデックス画面上でのディスク１０８内の再生するビデオクリップの選択を待ち、ビデオクリップが選択されると、ステップＳ１１９に進む。ステップＳ１１９では、記録と並行して選択されたビデオクリップの再生を開始し、続くステップＳ１２０で、選択されたビデオクリップの再生終了を待つ。これにより、液晶パネル２０８にインデックス画面上から選択されたビデオクリップの再生画像を観ながら記録を行うことができる。そして、再生が終了すると、上記ステップＳ１０９（図５に示す）に戻る。
【００４５】
上記ステップＳ１１３においてインデックスキー１１５ｄが押下されていないと判定されると、上記ステップＳ１１１（図５に示す）に戻る。
【００４６】
このように、本実施の形態では、例えば三脚にビデオカメラを固定して所望の被写体を撮影している最中に、撮影視野内を不明な物体などが横切った場合に、カメラモード時再生キー１１５ｅを押下することにより、記録を中断することなくこの不明な物体が映し出されている場面を再生することができ、この不明物体を容易に確認することができる。また、例えば三脚にビデオカメラを固定して所望の被写体を撮影している最中に、以前に撮影した同様の場面のビデオクリップを再生することができるので、この再生画像と撮影画像とを適宜比較しながら撮影を行うことができる。
【００４７】
（第２の実施の形態）
次に、本発明の第２の実施の形態について図７ないし図９を参照しながら説明する。図７は本発明の第２の実施の形態に係るビデオカメラの構成を示すブロック図、図８は図７のビデオカメラのカメラモードにおける再生要求発生時の表示制御の状態遷移図、図９は図７のビデオカメラにおけるカメラモード時の手順を示すフローチャートである。図中、図１のブロックまたは構成部材と同一のブロックまたは構成部材には、同一の符号を付し、その説明は省力または簡略化する。
【００４８】
本実施の形態においては、図７に示すように、赤外線を媒体としてビデオカメラを遠隔操作するための赤外リモコン５２０と、赤外リモコン５２０からの信号を受信し、対応する制御コードを発生する赤外リモコン受信部５２１とが設けられ、赤外リモコン受信部５２１により発生された制御コードは、マイクロコンピュータ１０７に入力される。
【００４９】
赤外リモコン５２０には、モードダイアル２０６以外のビデオカメラ本体に設けられている操作キーに対応した全てのキーが、少なくとも設けられている。よって、上述の実施の第１形態とは異なり、液晶パネル２０８が閉じられた状態での記録中に、赤外リモコン５２０のカメラモード時再生キー１１５ｅまたはインデックスキー１１５ｄに対応するキーの操作により、記録と並行した再生の要求を発生することが可能である。そのために、本実施の形態では、液晶パネル２０８が閉じられた状態での記録中においては、赤外リモコン５２０のカメラモード時再生キー１１５ｅまたはインデックスキー１１５ｄに対応するキーの操作の受付を禁止するように設定する。
【００５０】
具体的には、カメラモードにおいては、図８に示すように、撮影を行っていない状態すなわち撮影待機中状態８０１と、撮影画像を記録している状態すなわち撮影中状態８０４とが存在する。そして、撮影待機中状態８０１から撮影中状態８０４へは撮影開始をトリガーに、その逆は撮影終了をトリガーに遷移する。撮影待機中状態８０１においては、液晶パネル２０８が開かれている状態８０２、液晶パネル２０８が閉じられている状態８０３があり、また同様に、撮影中状態８０４においても、液晶パネル２０８が開かれている状態８０５、液晶パネル２０８が閉じられている状態８０６がある。
【００５１】
ここで、撮影待機中状態８０１においては、液晶パネル２０８が開いているときには、撮影画像を液晶パネル２０８に、液晶パネル２０８が閉じているときには、撮影画像をＥＶＦ１１０に表示する。なお、本実施の形態では、この撮影待機中状態８０１において、ディスク１０８内のＭＰＥＧデータの再生を行うことを考慮しておらず、この撮影待機中状態８０１における、カメラモード時再生キー１１５ｅまたはインデックスキー１１５ｄの操作、またはそれぞれに対応する赤外リモコン５２０のキーの操作は無効となるように設定されている。
【００５２】
撮影中状態８０４においては、液晶パネル２０８が閉じられているときには、記録と並行した再生を禁止するために、赤外リモコン５２０のカメラモード時再生キー１１５ｅまたはインデックスキー１１５ｄに対応するキーの操作の受付を禁止する。この状態において、撮影画像はＥＶＦ２０４に表示される。また、ＥＶＦ２０４に、赤外リモコン５２０のカメラモード時再生キー１１５ｅまたはインデックスキー１１５ｄに対応するキーの操作の受付禁止の旨を示すメッセージを表示する。
【００５３】
これに対し、撮影中状態８０４において液晶パネル２０８が開かれているときには、赤外リモコン５２０のカメラモード時再生キー１１５ｅまたはインデックスキー１１５ｄに対応するキーの操作の受付を許可し、記録と並行した再生を行うことができる。この状態においては、上述に実施の第１形態と同じように、記録中は撮影画像を液晶パネル２０８に表示し、記録と並行して再生を行うときには、撮影画像をＥＶＦ２０４に、再生画像を液晶パネル２０８に表示する。
【００５４】
次に、本実施の形態におけるカメラモードの動作について図９を参照しながら説明する。
【００５５】
カメラモードが設定されると、図９に示すように、まずステップＳ２０１においてトリガースイッチ２０５の押下を監視し、トリガースイッチ２０５が押下されると、記録開始が指示されたと判断してステップＳ２０２に進み、記録を開始する。そして、ステップＳ２０３において、パネル開閉検出スイッチ２１１からの検出信号に基づき液晶パネル２０８が開かれているか否かを判定する。ここで、液晶パネル２０８が開かれていないときには、ステップＳ２０４に進み、赤外リモコン５２０のスイッチ５２０ｄ，５２０ｅの操作の受付を禁止する。ここで、スイッチ５２０ｄは、図示されていないが、説明上、赤外リモコン５２０上のインデックスキー１１５ｄに対応するキーとする。また同様に、スイッチ５２０ｅは、図示されていないが、説明上、赤外リモコン５２０上のカメラモード時再生キー１１５ｅとする。この赤外リモコン５２０のスイッチ５２０ｄ，５２０ｅの操作の受付禁止により、液晶パネル２０８が閉じられているときにおける記録と並行した再生が禁止される。
【００５６】
次いで、ステップＳ２０５に進み、記録終了を指示するためのトリガースイッチ２０５の押下を待ち、トリガースイッチ２０５が押下されると、記録終了処理を行い、そして、上記ステップＳ２０１に戻り、次の記録開始に備える。
【００５７】
これに対し、上記ステップＳ２０３において液晶パネル２０８が開かれていると判定されると、ＥＶＦ２０４の電源をオフにするとともに液晶パネル２０８の電源をオンにし、画像入力選択スイッチ１１１により、２チャネルともカメラ画像信号を選択し、そして以降は、上述の実施の第１形態の図５のフローチャートに示すＳ１０３からの手順と同様の手順を実行することになるので、この以降の手順についての説明はここでは省略する。なお、この以降の手順において、インデックスキー１１５ｄ、カメラモード時再生キー１１５ｅ、または赤外リモコン５２０のスイッチ５２０ｄ，５２０ｅ（赤外リモコン５２０のインデックスキー１１５ｄまたはカメラモード時再生キー１１５ｅに対応するキー）の操作により、記録と並行して再生を行うことができる。
【００５８】
（第３の実施の形態）
次に、本発明の第３の実施の形態について図１０を参照しながら説明する。図１０は本発明の第３の実施の形態に係るビデオカメラの再生モード時の手順を示すフローチャートである。本実施の形態は、上述の第１の実施の形態と同じ構成を有し、その説明は省略する。
【００５９】
本実施の形態は、ディスク１０８内のＭＰＥＧデータの再生中に、この再生と並行して記録を行うことが可能であり、この再生と並行して記録を行う際には、ＥＶＦ２０４に撮影画像を、液晶パネル２０８に再生画像を表示するように表示切換を行うとともに、スピーカをオフする。
【００６０】
ユーザが再生を行う際には、まずモードダイアル２０６により再生モードが選択されるとともに、液晶パネル２０８が開かれる。マイクロコンピュータ１０７は、パネル開閉検出スイッチ２１１からの検出信号に基づき液晶パネル２０８が開かれたことを認識し、ＥＶＦ２０４の電源をオフにするとともに液晶パネル２０８の電源をオンにする。また、画像入力選択スイッチ１１１は、マイクロコンピュータ１０７の制御により、再生画像を液晶パネル２０８に表示するための１つのチャネルを選択する。
【００６１】
このような状態がセットされると、図１０に示すように、まずステップＳ３０１においてインデックスキー１１５ｄの押下を監視し、インデックスキー１１５ｄが押されると、ステップＳ３０２に進み、液晶パネル２０８にインデックス画面を表示し、続くステップＳ３０３で、インデックス画面上でのディスク１０８内の再生するビデオクリップの選択を待ち、ビデオクリップが選択されると、ステップＳ３０４に進む。ステップＳ３０４では、選択されたビデオクリップの再生を開始する。この再生画像は、液晶パネル２０８に表示される。
【００６２】
次いで、ステップＳ３０５に進み、トリガースイッチ２０５が押下されたか否かを判定する。ここで、トリガースイッチ２０５が押下されると、記録開始が指示されたと判断してステップＳ３０６に進み、画像入力選択スイッチ１１１により、再生画像を液晶パネル２０８に表示する状態を保持しながらカメラ信号処理部１０３からのデジタル画像データ（撮影画像）をＥＶＦ２０４に表示するように表示切換を行い、続くステップＳ３０７で、ＥＶＦ２０４の電源をオンする。そして、ステップＳ３０８において、再生時の音声が記録されないように、スピーカユニット１１４のスピーカ２０９をオフする。なお、スピーカユニット１１４の外部出力端子２１３には、再生音が出力されている。
【００６３】
次いで、ステップＳ３０９に進み、選択されたビデオクリップの再生と並行して記録を開始する。この状態においては、撮影画像がＥＶＦ２０４に、再生画像が液晶パネル２０８に表示される。これにより再生画像を観ながら撮影画像の記録を行うことができる。そして、ステップＳ３１０において、記録が終了したか否かを判定する。この判定は、トリガースイッチ２０５の押下の有無に応じて行われる。記録が終了すると、ステップＳ３１１に進み、画像入力選択スイッチ１１１により、再生画像を液晶パネル２０８に表示する状態を保持しながらカメラ信号処理部１０３からのデジタル画像データ（撮影画像）のＥＶＦ２０４へのチャネルを切断し、続くステップＳ３１２で、ＥＶＦ２０４の電源をオフする。そして、ステップＳ３１３において、記録が終了しており再生音が記録されることがないので、スピーカユニット１１４のスピーカ２０９をオンにする。
【００６４】
次いで、ステップＳ３１４に進み、選択されたビデオクリップの再生が終了したか否かを判定し、この再生が終了していないときには、上記ステップＳ３０５に戻り、次の記録に備える。これに対し、再生が終了すると、上記ステップＳ３０１に戻り、次の再生に備える。
【００６５】
上記ステップＳ３１０において記録が終了していないと判定されると、ステップＳ３１５に進み、再生が終了したか否かを判定し、再生が終了していないときには、上記ステップＳ３１０に戻る。これに対し、ビデオクリップの再生が終了すると、ステップＳ３１６に進み、記録の終了を待ち、記録が終了すると、上記ステップＳ３１１に進み、カメラ信号処理部１０３からのデジタル画像データ（撮影画像）のＥＶＦ２０４へのチャネル切断、ＥＶＦ２０４の電源オフ、スピーカユニット１１４のスピーカ２０９のオンを行う。
【００６６】
上記ステップＳ３０５においてトリガースイッチ２０５が押下されていないと判定されると、上記ステップＳ３１４に進む。
【００６７】
このように、本実施の形態では、例えばディスク１０８に記録されたビデオクリップを再生して内容を確認している最中に、所望の被写体が出現した場合に、再生を中断することなく即座に所望の被写体に対する撮影画像を確認しながら記録することができる。
【００６８】
なお、本発明は、上述の実施形態の機能（図５、図６、図９および図１０に示すフローチャートを含む）を実現するソフトウェアのプログラムコードを記録した記憶媒体を装置に供給し、装置のコンピュータ（またはＣＰＵやＭＰＵ）が記憶媒体に格納されたプログラムコードを読出し実行することによっても、達成されることはいうまでもない。
【００６９】
この場合、記憶媒体から読出されたプログラムコード自体が前述した実施形態の機能を実現することになり、そのプログラムコードを記憶した記憶媒体は本発明を構成することになる。
【００７０】
プログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＤＶＤ−ＲＯＭなどを用いることができる。
【００７１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることはいうまでもない。
【符号の説明】
【００７２】
１０６  ディスク制御部
１０７  マイクロコンピュータ
１０８  ディスク
１１１  画像入力選択スイッチ
１１５ｄ  インデックスキー
１１５ｅ  カメラモード時再生キー
２０４  ＥＶＦ
２０８  液晶パネル
【図１】
2011015427.tif 000003
【図２】
2011015427.tif 000004
【図３】
2011015427.tif 000005
【図４】
2011015427.tif 000006
【図５】
2011015427.tif 000007
【図６】
2011015427.tif 000008
【図７】
2011015427.tif 000009
【図８】
2011015427.tif 000010
【図９】
2011015427.tif 000011
【図１０】
2011015427.tif 000012